(57)【特許請求の範囲】
【請求項１】
プラスチック光ファイバからなるライトガイド、ライトガイドに光を供給するランプ、ランプに電力を供給する電源、ランプとライトガイドの光入射端との間に配置される熱線吸収フィルタ及び又は熱線反射フィルタ、これらを収納する筐体、及びライトガイドを筐体に固定するための口金で構成され、ランプがライトガイドの光入射端部より上部に位置するようにライトガイドとランプの光軸を水平軸に対して傾けて配し、筐体上部と筐体下部に通気孔を設けた光源装置。
【請求項２】
ライトガイドとランプの光軸を水平軸に対して４０゜以上傾けて配する請求項１記載の光源装置。
【請求項３】
請求項１又は請求項２記載の光源装置が読書灯、ベッドサイド照明又は展示物照明用である光源装置。
【発明の詳細な説明】
【０００１】
【発明の属する技術分野】
本発明は、プラスチック光ファイバからなるライトガイドを用いた騒音発生のない光源装置に関する。
【０００２】
【従来の技術】
従来、プラスチック光ファイバからなるライトガイドを用いた光源装置は、例えば図４に示すように、ライトガイド１、ライトガイドに光を供給する反射鏡付きランプ２、ランプに電力を供給する電源３が筐体６内に収納されて構成され、電源からランプへ電力を供給することにより発光動作を行い、ランプの光をライトガイドに入射させて、対象物を照射するようになっている。
【０００３】
そして、プラスチック光ファイバからなるライトガイドは、ガラス系光ファイバからなるライトガイドと比較して耐熱温度が低いため、従来のプラスチック光ファイバライトガイド用の光源装置は、熱線吸収フィルタ４や熱線反射フィルタ１１を用いてライトガイドの光入射端部を熱から保護し、さらに冷却ファン１２を用いて筐体内のランプで暖められた空気を通気孔１０を通して外部に排気或いは外部の冷たい空気を吸気し、筐体内の温度を下げるようにしていた。
【０００４】
しかしながら、冷却ファンを用いる冷却では、冷却ファンによる騒音が発生するという重大な問題がある。冷却ファンによる騒音をなくす方法として、低騒音ファンの採用も検討されているが、冷却ファンを用いた光源装置は、筐体内の部材配置から風切り音が発生するので、冷却ファンを組み込んだ光源装置は、冷却ファン単体が発生する騒音より、さらに大きな１０ｄＢ程度の騒音を発生する。そのため、冷却ファンを備え、プラスチック光ファイバのライトガイドを用いた光源装置は、低騒音ファンを採用したとしても静かな環境下で使用される読書灯やベッドサイド照明或いは美術館等の展示物用の照明用途には不向きである。また、光源装置をさらに筐体で囲み防音型とすことにより騒音を減らす方法もあるが、コスト高になり、騒音低減効果も半減する程度で十分な効果を得られていないのが現状である。
【０００５】
【発明が解決しようとする課題】
本発明の目的は、冷却ファンを用いず、騒音発生がなく、静かな環境下での照明用途に使用可能な光源装置を提供することにある。
【０００６】
【課題を解決するための手段】
本発明は、プラスチック光ファイバからなるライトガイド、ライトガイドに光を供給するランプ、ランプに電力を供給する電源、ランプとライトガイドの光入射端との間に配置される熱線吸収フィルタ及び又は熱線反射フィルタ、これらを収納する筐体、及びライトガイドを筐体に固定するための口金で構成され、ランプがライトガイドの光入射端部より上部に位置するようにライトガイドとランプの光軸を水平軸に対して傾けて配し、筐体上部と筐体下部に通気孔を設けた光源装置、にある。
【０００７】
【発明の実施の形態】
本発明の構成を図面により説明する。図１〜図３において、光源装置は、プラスチック光ファイバからなるライトガイド１、ライトガイドに光を供給する反射鏡付きランプ２、ランプに電力を供給する電源３、熱線吸収フィルタ４及び又は熱線反射フィルタ１１、これらを収納する筐体６、及びライトガイドを筐体内に固定するための口金５で構成されている。熱線吸収フィルタはランプの光からの熱線を吸収し、また熱線反射フィルタはランプの光からの熱線を反射し、ランプの光の熱線である赤外線成分がライトガイド光入射端部１３へ到達するのを防止し、ライトガイドの光入射端部を保護する。
【０００８】
本発明の光源装置においては、特にランプがライトガイド光入射端部より上部に位置するようにライトガイドとランプの光軸７を水平軸８に対して傾け、好ましくは４０゜以上に傾けて配置する。ランプにより暖められた空気は、自然対流によって上昇するためライトガイドとランプの光軸を傾けて配置することにより、ランプが発生する熱のライトガイド光入射端部へ及ぼす影響をより少なくすることができる。例えばライトガイドとランプの光軸を水平軸に対して４０゜に傾けたときでは、ライトガイドとランプの光軸が水平であるときに比べライトガイド光入射端部での温度は４〜５℃低下する。また、ライトガイドとランプの光軸の傾斜配置は、熱線吸収フィルタ又は及び熱線反射フィルタの負荷を少なくする。
【０００９】
また、本発明の光源装置は、その筐体の上部がその他の部分（固定部）から分離可能な構造を有していることが好ましい。筐体の分離可能部分９は、筐体上面の一部であっても全部であってもよく、上面の一部または全部とそれに連なる側面の一部であってもよい。このような構造とすることにより光源装置のメンテナンスが容易になり好ましい。また、筐体の分離可能部分と固定部との接合部に断熱材を設ける、ランプにより暖められた空気が上昇して筐体の分離可能部分に蓄積された熱が固定部に伝達しにくくなり、筐体内の温度上昇を防ぐことができるのでより好ましい。
【００１０】
さらに、本発明の光源装置は、筐体の上部と筐体の下部にそれぞれ通風用の通気孔１０を有しているので、自然対流により、筐体内のランプで熱せられた空気を上部の通気孔から排気或いは外部の空気を筐体下部の通気孔から吸気して筐体内を冷却することができ、ランプからの熱によるライトガイド光入射端部へ及ぼす影響を少なくすることができる。
【００１１】
【実施例】
図１〜図３に本発明の光源装置の実施例を示す。図１は、熱線吸収フィルタを用いた例であり、図２は、熱線反射フィルタを用いた例であり、図３は、熱線吸収フィルタ及び熱線反射フィルタを用いた例である。実施例においては、ランプとして、ライトガイド１への集光効率を上げるために反射鏡付きランプを用いた。ランプの出力は５０Ｗであり、ライトガイドとランプの光軸は水平軸に対して４０゜傾いていた。また、熱線吸収フィルタとしては五鈴精工硝子（株）製のＩＳＫ−１５０を、熱線反射フィルタとしては日本真空光学（株）製のＣＦ−Ｂ型を用いた。このような光源装置を用いて照明を行ったところ、騒音が少なく、ライトガイドの光入射端面の焼け等のトラブルも発生しなかった。
【００１２】
【発明の効果】
本発明の光源装置は、冷却ファンが用いられていないことから、騒音を発生しないものであり、特に静かな環境下で使用される読書灯やベッドサイド照明或いは美術館等の展示物用の照明用途に好適に用いられる。また、耐熱性は低いが、安価で加工の容易なプラスチック光ファイバーからなるライトガイドを熱的に安全に用いることができる。
【図面の簡単な説明】
【図１】本発明の光源装置の一例の構成図である。
【図２】本発明の光源装置の他の例の構成図である。
【図３】本発明の光源装置の他の例の構成図である。
【図４】従来の光源装置の構成図である。
【符号の説明】
１  プラスチック光ファイバからなるライトガイド
２  反射鏡付きランプ
３  電源
４  熱線吸収フィルタ
５  口金
６  筐体
７  ライトガイドとランプの光軸光軸
８  水平軸
９  筐体の分離可能部分
１０  通気孔
１１  熱線反射フィルタ
１２  冷却ファン
１３  ライトガイド光入射端部
【図１】
0004091680.tif 000002
【図２】
0004091680.tif 000003
【図３】
0004091680.tif 000004
【図４】
0004091680.tif 000005